(57)【要約】 【課題】電子体温計使用時に直接噛んでしまうことも多く、口内に入れるにあたって不衛生な状態が続くことと、口内奥に落下、もしくは破損してしまうという危険性の問題点があり、従来から安全性確保に際し多大な手間がかかってしまうことがあった。本発明は手間がかからず、簡単に取り扱うことのできる電子体温計の補助用具を提供することを課題とする。        【解決手段】上部保持片５ｂと下部保持片５ｃとが所定の距離Ｈだけ離間して略平行に設けられ、該上下の保持片５ｂ、５ｃの間に挿入部５ａが挟持されて設けられており、前記挿入部５ａの正面視略中央に挿入孔５ｄが貫通して設けられていることを特徴とする電子体温計補助用具によって上記課題を解決したものである。【選択図】  図７
2013083469.tif 000002
【特許請求の範囲】
【請求項１】
上部保持片５ｂと下部保持片５ｃとが所定の距離Ｈだけ離間して略平行に設けられ、該上下の保持片５ｂ、５ｃの間に挿入部５ａが挟持されて設けられており、前記挿入部５ａの正面視略中央に挿入孔５ｄが貫通して設けられていることを特徴とする電子体温計補助用具。
【請求項２】
前記補助用具５の上部保持片５ｂと下部保持片５ｃの周縁に突出部Ｅが設けられていることを特徴とする請求項１に記載の電子体温計補助用具。
【請求項３】
前記補助用具５が弾性体からなることを特徴とする請求項１又は請求項２に記載の電子体温計補助用具。
【請求項４】
前記補助用具５がシリコン樹脂からなることを特徴とする請求項１〜請求項３のいずれかに記載の電子体温計補助用具。
【発明の詳細な説明】
【技術分野】
【０００１】
本発明は、口内で計る電子体温計を歯で噛む事で、安定させ、事故防止、なおかつ体温計の形状と衛生面を守るものである。
【背景技術】
【０００２】
口内で計る電子体温計は固定が困難な為、安定感がなく手で支えるか、歯で電子体温計を直接くわえる必要があった。
【０００３】
衛生面の部分でも何度も同じ箇所を使用することから、歯形がつき変色の原因や不衛生さもあった。
【０００４】
手が不自由な方が人の力を借りている場合に、補助役の人の一定時間を要し、手間も多大であった。
【０００５】
また目覚めの状態からの体温測定は寝ぼけていることが多く、口内奥に落下する危険の可能性があった。
【０００６】
歯で電子体温計を直接噛むことによって、電子体温計を破損し口内を怪我することがあった。
【先行技術文献】
【特許文献】
【０００７】
【特許文献１】特開２００５−０１０１６９号公報
【発明の概要】
【発明が解決しようとする課題】
【０００８】
上述のごとく、実際には電子体温計を直接噛んでしまうことも多く、口内に入れるにあたって不衛生な状態が続くことと、口内奥に落下、もしくは破損してしまうという危険性の問題点があった。上記特開２００５−０１０１６９号公報に記載の物は使用にあたって多大な手間がかかってしまうことがあった。本発明は手間がかからず、簡単に取り扱うことが可能で電子体温計の安全性を向上させるための補助用具を提供することを目的とする。
【課題を解決するための手段】
【０００９】
上記課題は、上部保持片と下部保持片とが所定の距離離間して略平行に設けられ、該上下の保持片の間に挿入部が挟持して設けられており、前記挿入部の正面視略中央に挿入孔が貫通して設けられていることを特徴とする電子体温計補助具によって解決されるものである。
【発明の効果】
【００１０】
しっかり噛むことが出来て安定感もあり、取り扱いも簡単で、破損や事故防止にも有用で、なおかつ取り外して洗うこともでき、衛生面の考慮もできるという効果を発揮するものである。
【図面の簡単な説明】
【００１１】
【図１】本発明の補助用具を電子体温計に装着した状態を示す平面図である。
【図２】本発明の補助用具を電子体温計に装着した状態を示す側面図である。
【図３】本発明の補助用具を電子体温計に装着した状態を示す斜視図である。
【図４】本発明の補助用具の平面図である。
【図５】本発明の補助用具の側面図である。
【図６】本発明の補助用具の正面図である。
【図７】本発明の補助用具を装着した電子体温計の使用状態を示す説明図である。
【発明を実施するための形態】
【００１２】
以下、図面に従って、本発明の電子体温計補助用具５について詳しく述べる。図１は、本発明の補助用具を電子体温計に装着した状態を示す平面図である。また、図２は、本発明の補助用具を電子体温計に装着した状態を示す側面図である。本発明の電子体温計１に装着する補助用具５は、例えば、シリコン樹脂等の弾性体からなり、上部保持片５ｂと下部保持片５ｃの、各一枚ずつの、例えば、シリコン樹脂片と、電子体温計１に装着させる筒状部分としての挿入部５ａとが、合体して、一つの物一体物となる。形は丸、四角、星形、ハート形など噛みやすい形状物であれば特に限定されるものではない。ハート形の場合、幅Ｗの寸法は、約１.７〜２.５センチ位の長さが好ましい。しかし、この寸法に限定されるものではない。
【００１３】
本発明の補助用具５は、上部保持片５ｂと下部保持片５ｃとが所定の距離Ｈだけ離間して略平行に設けられ、該上下の保持片５ｂ、５ｃの間に挿入部５ａが挟持して設けられており、前記挿入部５ａの正面視略中央に、電子体温計１の先端部にある温度測定部４を挿入するための挿入孔５ｄが貫通して設けられている。従って、電子体温計１の先端部にある温度測定部４が、補助用具５から突出して出る長さは充分に確保され、体温計測が充分に可能となる。前記、上部保持片５ｂと下部保持片５ｃとが離間する所定の距離Ｈは、例えば、１ｃｍ〜２ｃｍ程度が好適である。しかしながら、この寸法に限定されるものではない。
【００１４】
また、前記、補助用具５に設けられている挿入孔５ｄの大きさは、前記、電子体温計１の先端部にある温度測定部４の大きさよりも若干小さめに設けられている。そして、本発明の補助用具５の材質は弾性体で構成されている。従って、温度測定部４を挿入孔５ｄに手で強めに差し込めば、簡単に挿入可能となる。しかも、弾性体の密接力で、温度測定部４が挿入孔５ｄに、しっかりと保持される。
【００１５】
本発明の補助用具５を装着した電子体温計1は口内に入れた際、補助用具５の上部保持片５ｂと下部保持片５ｃとに歯６が適度にあたり、該歯あたり感を確認することが可能で、しかも、電子体温計1を歯６によって噛んで保持した際、電子体温計下部３には傷をつけることがなく、また、破損したりする恐れもない。使用する人にとって取り扱いが極めて簡便で、しかも、極めて安全である。
【００１６】
図３は、本発明の補助用具を電子体温計に装着した状態を示す斜視図である。図４は、本発明の補助用具の平面図である。図６は、本発明の補助用具の正面図である。
正面図からは、例えば、平面視ハート形状からなる本発明の補助用具５の間から電子体温計下部３と測定部４が確認できる。
【００１７】
図４からは、本発明の補助用具５が平面視例えば、ハート形状を有しているが、ハート形状以外に、その他の形状であってもよいものとする。実際に歯６で噛む場所として前記上部保持片５ｂ、下部保持片５ｃが設けられており、その箇所が電子体温計を守ることになる。材質は弾性体で耐久性のある樹脂製が好適である。例えば一例として、シリコン樹脂が最適である。シリコン樹脂の場合、嫌な匂いもなく噛んだ場合でも歯を痛めることも極めて少なく皆無に近い。補助用具５の幅Ｗは約１.７ｃｍから約２.５ｃｍ程度が好ましい。しかしながら、この寸法に限定されるものではない。
【００１８】
図５は本発明補助用具５の側面図である。真ん中に筒状の芯である挿入部５ａがあり、二枚の板状のシリコン樹脂からなる上部保持片５ｂと下部保持片５ｃがあるのがわかる。全体がシリコン樹脂で構成され一つの物になっている。
【００１９】
図６は本発明補助用具５の正面図である。補助用具５は、上部保持片５ｂと下部保持片５ｃとが所定の距離Ｈだけ離間して略平行に設けられ、該上下の保持片５ｂ、５ｃの間に挿入部５ａが挟持されて設けられており、前記挿入部５ａの正面視略中央に挿入孔５ｄが貫通して設けられている。さらに、詳述すると、正面視略中央に挿入孔５ｄが設けられており、電子体温計１の本体下部３に装着できるようになっている。装着した時にしっかり止まるように挿入孔５ｄのサイズはやや狭めになっている。そして測定部４が適度な長さに突出し、測定部４が露出され、体温測定には支障が全くない状態になる。
【００２０】
前記、補助用具５の上部保持片５ｂと下部保持片５ｃの周縁に突出部Ｅが設けられている。口内に補助用具５を装着済みの電子体温計１を入れて体温を測定する際、前記補助用具５を歯６で噛んで電子体温計１を固定することになるが、この突出部Ｅの働きで、この時の電子体温計１の固定がよりいっそう安定したものとなる。さらに、前記突出部Ｅは補助用具５を歯６で噛んだ時のクッション性と、補助用具５の軽量化にとって好適である。
【００２１】
本発明の電子体温計用補助用具５は、電子体温計に好適に用いられるものであるが、電子体温計以外の体温計、例えば、水銀柱体温計などにも応用が可能である。
【００２２】
図７は本発明の補助用具５を装着した電子体温計１の使用状態を示す説明図である。電子体温計１は手によって支えられ、電子体温計上部２を常に手で保持するか、歯６で電子体温計自体を直接に歯６で噛むことになり、電子体温計下部３が破損して危険となるが、本発明の補助用具５があることで、歯６で安定化させることができる。しかも、電子体温計下部３が破損することがなく安全である。舌７の部分には電子体温計の温度測定部４が当り、体温測定が可能になる。よって、電子体温計下部３に傷もつけずに破損や落下からの事故を回避することができる。
【産業上の利用可能性】
【００２３】
本発明の電子体温計補助用具５は電子体温計１を使用して体温を測定するときに、衛生面と安全性を高めるものとして利用可能であり産業上の利用可能性がある。そして、元気のない方に少しでも可愛く元気になってもらうことができる。このように本発明の補助用具５は産業上極めて有用な物である。
【符号の説明】
【００２４】
１      電子体温計
２      電子体温計上部
３      電子体温計下部
４      電子体温計の温度測定部
５      補助用具
５ａ    挿入部
５ｂ    上部保持片
５ｃ    下部保持片
５ｄ    挿入孔
Ｅ      周縁突出部
Ｗ      補助用具の幅
Ｈ      補助用具の厚み
６      歯
７      舌
【図１】
2013083469.tif 000003
【図２】
2013083469.tif 000004
【図３】
2013083469.tif 000005
【図４】
2013083469.tif 000006
【図５】
2013083469.tif 000007
【図６】
2013083469.tif 000008
【図７】
2013083469.tif 000009